(57)【特許請求の範囲】
【請求項１】
接着剤が塗布された所定の座面を持つ部品を支持する支持部と、
前記座面に直交する方向に延びる軸部材を備える光学素子を保持する為の保持部と、
前記座面に前記光学素子を密着させるよう、前記座面に直交する方向に前記保持部を移動させる移動手段と、
前記移動手段が前記光学素子を前記座面に密着させている状態で、前記光学素子と前記座面とを擦り合わせるよう前記保持部を前記軸部材の軸を中心として回転させる回転手段と、
を備え、
前記回転手段は、前記軸部材に取り付けられたアームと、前記軸部材がその軸回りに回転するよう前記アームを操作するアクチュエータと、を備えること、を特徴とする光学素子の接着装置。
【請求項２】
前記軸部材を、その軸方向に移動可能に保持し、且つ軸回りに回転可能に保持する案内部が設けられていること、を特徴とする請求項１に記載の光学素子の接着装置。
【請求項３】
前記保持部と前記案内部との間にはバネが設けられており、前記移動手段は、前記バネと前記案内部を介して前記保持部を移動させること、を特徴とする請求項２に記載の光学素子の接着装置。
【発明の詳細な説明】
【０００１】
【発明の属する技術分野】
この発明は、光ディスク装置のベース等に光学素子を取り付けるための接着装置に関するものである。
【０００２】
【従来の技術】
図９に、従来の光学素子の接着装置の一例を示す。ここでは、光ディスク装置のベース５００に設けられた座面５１０に光学素子５２０を接着するものとする。従来の接着装置は、ベース５００を載せる架台５５０と、光学素子５２０を保持するホルダ５６０とを具備している。そして、昇降機構５７０によってホルダ５６０を架台５５０に向けて（図中矢印方向に）移動させ、ホルダ５６０に保持された光学素子５２０を座面５１０に押し当てるよう構成されている。
【０００３】
座面５１０には予め接着剤が塗布されている。昇降機構５７０を駆動して光学素子５２０を座面５１０に押し当てると、光学素子５２０の接着面（下面）と座面５１０との間で接着剤が加圧される。この接着剤に紫外線を照射すると、接着剤が硬化して、光学素子５２０が座面５１０に接着される。
【０００４】
【発明が解決しようとする課題】
ここで、光学素子５２０と座面５１０の間の接着材層が厚いと、温度変化による接着層の伸縮の影響で光学素子５２０の位置ずれを招くことから、接着剤層の厚みは薄い方が望ましいことが知られている。しかしながら、座面５１０に塗布する接着剤の量を減らすと、接着剤の塗布むら等により、光学素子５２０と座面５１０との間に接着剤が存在しない箇所が出来る可能性があり、光学素子５２０を座面５１０に確実に固定できないという問題点があった。
【０００５】
上記のような事情に鑑み、本発明は、光学素子を座面に接着するための接着剤層を薄くすることを目的とするものである。
【０００６】
【課題を解決するための手段】
上記の課題を解決するため、本発明による光学素子の接着装置は、（１）所定の座面を持つ部品を支持する支持部と、（２）光学素子を保持する保持部と、（３）座面に光学素子を密着させるよう、座面に対して保持部を移動させる移動手段と、（４）移動手段が光学素子を座面に密着させている状態で、光学素子と座面とを擦り合わせるよう保持部を回転させる回転手段と、を備えて構成されている。
【０００７】
このように、光学素子を座面に密着させた状態で、光学素子と座面とを擦り合わせることによって、光学素子と座面の間の接着剤層を薄く且つ均一にすることができる。従って、光学素子をユニットベースに確実に固定しながら、なお且つ接着剤層を薄くすることが可能になる。
【０００８】
【発明の実施の形態】
図１は実施形態の光ディスク装置の概略構成を示す平面図であり、図２は光ディスク装置の光学系を示す概略図である。図１及び図２に示すように、光ディスク装置は、光ディスク２の記録面にレーザー光束を収束させる対物レンズ１０を搭載した可動部３と、光ディスク装置の本体（図示せず）に固定された固定光学ユニット６により構成されている。
【０００９】
図１に示すように、可動部３は、光ディスク装置本体（図示せず）に固定された一対のセンターヨーク４１，４２によって水平に直進案内されている。センターヨーク４１，４２の夫々の両端には、コの字状のサイドヨーク４３，４４が取り付けられている。そして、サイドヨーク４３，４４の夫々のセンターヨーク側には、マグネット４５，４６が固定されている。
【００１０】
可動部３には、前述のマグネット４５，４６に対向する一対の駆動用コイル４７，４８が設けられている。そして、駆動コイル４７，４８に電流を流すと、マグネット４５，４６により形成される磁界との作用により、可動部３が図中左右方向に直進移動する。
【００１１】
図２に示すように、固定光学ユニット６には光源モジュール７が設けられている。光源モジュール７は、レーザー光束を発する半導体レーザー１８，（半導体レーザー１８からの）発散光を平行光に変換するコリメートレンズ２０，複合プリズムアッセイ２１，結像レンズ２３，データ検出／フォーカス／トラッキング検出センサー２４，およびＡＰＣセンサー２５を有している。
【００１２】
コリメートレンズ２０から射出される平行光束の断面形状は半導体レーザー１８の特性のため長円状であり、レーザー光束を光ディスク２上に微小に絞り込むには都合が悪いため略円形断面に変換する必要がある。このため、複合プリズムアッセイ２１の入射面２１ａは入射光軸に対して所定の傾斜を有しており、入射光を屈折させることにより平行光束の断面形状を長円形状から略円形形状に整形する。
【００１３】
固定光学ユニット６の光源モジュール７から出射されたレーザー光束は、空間中を直進して可動部３に入射する。可動部３に導かれたレーザー光束は、偏向ミラー３１で上方に反射され、対物レンズ１０に入射する。
【００１４】
図３に、対物レンズ１０と光ディスク２の関係を示す。対物レンズ１０に入射したレーザー光束は、光ディスク２の保護層２Ｂを通過して記録面２Ａに収束する。尚、可動部３と光ディスク２の記録面２Ａとの距離を常に一定に保つため、可動部３に搭載された対物レンズ１０は、光ディスク２の面ぶれに追従させるべく上下に移動制御される。このフォーカスサーボと呼ばれる対物レンズ１０の移動制御方法については、説明を省略する。
【００１５】
光ディスク２から反射されて戻ってきた復路のレーザー光束は、往路と逆に進んで固定光学ユニット６に戻り、複合プリズムアッセイ２１に入射する。複合プリズムアッセイ２１のハーフミラー面２１ｂは、透過光と、データ検出／フォーカス／トラッキング検出センサー２４へ向かう反射光を生成し、復路のレーザー光束を分離する。データ検出／フォーカス／トラッキング検出センサー２４は、光ディスク２に記録されているデータ情報を読みとりデータ信号を出力し、且つフォーカス／トラッキング誤差信号を出力する複合型のセンサーである。尚、正確にはフォーカス／トラッキング誤差信号およびデータ信号は図示しないヘッドアンプ回路によって生成され、制御回路又は情報処理回路に送られる。
【００１６】
次に、固定光学ユニット６のユニットベースなどに光学素子２００を接着する装置について説明する。ここで、光学素子２００は、上述した複合プリズムアッセイ２１、コリメートレンズ２０（図２）等のいずれであっても良い。
【００１７】
図４は接着装置１００の側面図である。接着装置１００は水平に配置された架台１１１を有している。架台１１１には、固定光学ユニット６（図２）のユニットベース（以下、単にユニットベース３００とする）を載置するための複数個の支持座１１２が設けられている。ユニットベース３００は、架台１１１の座１１２の上に、座面３０１が水平になるように載置される。
【００１８】
プリズム等の光学素子２００を保持するホルダ１２１は、真空吸着を利用して光学素子２００を吸着保持するよう構成されている。ホルダ１２１は、鉛直方向に延びるスライド軸１２３の下端に取り付けられている。スライド軸１２３は案内管１４１に挿入されており、軸方向（即ち鉛直方向）に摺動可能に支持され、且つ軸回りに回転可能に支持されている。
【００１９】
案内管１４１とホルダ１２１の間には、圧縮ばねであるコイルばね１２２が設けられている。コイルばね１２２は、ホルダ１２１とスライド軸１２３をベース３００に向けて付勢している。即ち、後述の移動装置１４４によって案内管１４１を鉛直方向に移動させると、コイルばね１２２を介してホルダ１２１及びスライド軸１２３が鉛直方向に移動する。尚、スライド軸１２３の上端近傍にはストッパ環１２４が設けられており、スライド軸１２３が所定位置まで移動するとストッパ環１２４が案内管１４１に当接するよう構成されている。
【００２０】
移動装置１４４は、鉛直支持部１５１に固定されたガイドレール１４４ａと、このガイドレール１４４ａに沿って上下動可能な可動部１４４ｂを有している。可動部１４４ｂには、固定台１４２と連結部材１４３とを介して上述の案内管１４１が取り付けられている。尚、詳細説明は省略するが、移動装置１４４は、ボールネジやリニアモータを利用して可動部１４４ｂを移動させるよう構成されたものである。又、鉛直支持部１５１は、架台１１１（図４）上に立設されている。
【００２１】
図５は接着装置１００の平面図である。スライド軸１２３をその軸回りに回動させるため、スライド軸１２３の頂部には、その軸方向に対して直交して延びるアーム１３１の一端が固定されている。このアーム１３１の他端は、伝達ピン１３２と伝達部材１３６を介してエアシリンダ１３３のプランジャ１３５に取り付けられている。エアシリンダ１３３には図示しないエア源からのエアが供給され、プランジャ１３５はアーム１３１の長手方向（回転半径方向）に略直交する方向に往復運動する。このプランジャ１３５の往復運動がアーム１３１の回転運動に変換される。
【００２２】
尚、アーム１３１が（スライド軸１２３と共に）上下移動するのに対し、エアシリンダ１３３は上下移動しない。そこで、伝達ピン１３２は、アーム１３１の上下移動範囲をカバーする長さを有し、アーム１３１が伝達ピン１３２に沿って摺動できるよう構成されている。これにより、アーム１３１の上下位置に関わらず、アーム１３１とエアシリンダ１３３のプランジャ１３５との連結が維持される。
【００２３】
又、プランジャ１３５が直線運動をするのに対し、伝達ピン１３２の移動はアーム１３１の回転中心を中心とした円運動になる。しかしながら、伝達ピン１３２の円運動の半径に比べて、プランジャ１３５の直線運動の距離が短いため、伝達ピン１３２とアーム１３１の（伝達ピン１３２を挿通する）挿通孔１３１ａの間にある程度のクリアランスがあれば良い。
【００２４】
このように構成されているため、接着装置１００は、ホルダ１２１に保持された光学素子２００を座面３０１に直交する方向に移動させると共に、光学素子２００を座面３０１に直交する軸の回りに回転させることができる。
【００２５】
次に、この接着装置１００を用いた接着作業について図６、図７及び図８を参照して説明する。図６では、スライド軸１２３がその移動範囲の上限位置にある。架台１１１にはユニットベース３００が載置され、ホルダ１２１には光学素子２００が真空吸着される。尚、ユニットベース３００の座面３０１には、予め接着剤が塗布されている。
【００２６】
図７は、移動装置１４４が作動してスライド軸１２３及びホルダ１２１を下方に移動し、ホルダ１２１に保持された光学素子２００をユニットベース３００の座面３０１に接触させた状態を示す。この状態では、コイルバネ２２は自然長Ｌ０である。即ち、光学素子２００はまだ座面３０１に押し付けられてはいない。
【００２７】
図８は、移動装置１４４がさらに作動して、案内管１４１が図７の状態から距離Ｄだけ降下した状態を示す。コイルバネ２２は自然長Ｌ０からＬ１まで圧縮され、このバネ力によって光学素子２００は座面３０１に押し付けられる。
【００２８】
この状態で、エアシリンダ１３３が作動してアーム１３１を回転させ、光学素子２００に回転方向Ｒの回転を与える。これにより、座面３０１と光学素子２００とが擦り合わされ、両者の間に介在する接着剤層は均一に薄くなる。その後、図示しないＵＶ照射装置からのＵＶ照射によって、座面３０１と光学素子２００の間の接着剤層を硬化させる。かくして、ユニットベース３００への光学素子２００の接着作業が完了する。
【００２９】
このように本実施形態によると、光学素子２００を座面３０１に押し付けた状態で光学素子２００に回転を与えることによって、座面３０１と光学素子２００の間の接着剤層を薄く且つ均一にすることができる。従って、光学素子２００をユニットベースに確実に固定しながら、なお且つ接着剤層を薄くすることが可能になる。
【００３０】
尚、本実施形態では、座面３０１と光学素子２００の間の接着層を薄く且つ均一にするための動作として光学素子の回転動作が行われているが、この発明は光学素子の回転動作に限定されるものではなく、光学素子２００の座面３０１と平行な面内における相対運動であれば、直線的な往復運動であっても良い。
【００３１】
【発明の効果】
以上説明したように、本発明の光学素子の接着装置によると、光学素子を座面に押し当てた状態で光学素子或いは座面に回転等の擦り合わせ動作を与えることによって、座面と光学素子の間の接着剤層を薄く且つ均一にすることができる。従って、光学素子をユニットベースに確実に固定しながら、なお且つ接着剤層を薄くすることが可能になる。
【図面の簡単な説明】
【図１】実施形態の光磁気ディスク装置の基本構成を示す図である。
【図２】図１の光ディスク装置の光学系を示す概略図である。
【図３】対物レンズと光ディスクを拡大して示す図である。
【図４】実施形態の接着装置を示す側面図である。
【図５】図４の接着装置の平面図である。
【図６】図１の接着装置を用いた接着方法の第１段階を示す側面図である。
【図７】図１の接着装置を用いた接着方法の第２段階を示す側面図である。
【図８】図１の接着装置を用いた接着方法の第３段階を示す側面図である。
【図９】従来の接着方法を示す図である。
【符号の説明】
１００          接着装置
１１１          架台
１１２          座面
１２１          ホルダ
１２２          ばね
１２３          スライド軸
１３１          アーム
１４１          案内管
１４４          移動装置
２００          光学素子
３００          ユニットベース
【図１】
0004656678.tif 000002
【図２】
0004656678.tif 000003
【図３】
0004656678.tif 000004
【図４】
0004656678.tif 000005
【図５】
0004656678.tif 000006
【図６】
0004656678.tif 000007
【図７】
0004656678.tif 000008
【図８】
0004656678.tif 000009
【図９】
0004656678.tif 000010